(57)【特許請求の範囲】
【請求項１】
紙葉類を１枚ずつ取り込む取込部と、
前記取込部から取り込まれた紙葉類を搬送する搬送部と、
前記搬送部によって搬送される紙葉類の表裏及び向きを識別する識別部と、
前記搬送部によって搬送された紙葉類を、その紙面同士が接触するように整列した状態で、集積するよう構成された少なくとも１つの集積部と、
前記集積部への紙葉類の搬送動作を制御する制御部とを備える紙葉類処理装置であって、
当該紙葉類処理装置が受け付けない紙葉類を受ける排出部をさらに備え、
前記制御部は、
前記識別部によって識別された表裏及び向きに基づいて、紙葉類を厚さの分布が異なる複数の種類に分類し、
前記集積部に集積された紙葉類の枚数を、前記複数の種類ごとに管理し、
前記識別部によって識別された紙葉類が属する種類と、前記集積部に集積された紙葉類の前記複数の種類ごとの枚数とに基づいて、前記集積部への前記紙葉類の集積を許可するか否かの判断を、前記集積部ごとに、行い、
前記集積部への集積を許可しなかった紙葉類について、前記排出部に搬送されるよう、前記搬送部を制御する
ことを特徴とする紙葉類処理装置。
【請求項２】
請求項１記載の紙葉類処理装置において、
前記制御部は、前記集積部に集積された紙葉類の前記複数の種類ごとの枚数から、前記集積部における紙葉類の集積状態を表す指標値を求め、この指標値に基づいて、前記判断を行う
ことを特徴とする紙葉類処理装置。
【請求項３】
請求項２記載の紙葉類処理装置において、
前記制御部は、紙葉類を、前記複数の種類として、第１および第２の種類に分類し、前記集積部に集積された前記第１および第２の種類の紙葉類の枚数の差を、前記指標値として用いる
ことを特徴とする紙葉類処理装置。
【請求項４】
請求項３記載の紙葉類処理装置において、
前記制御部は、前記差が所定値以上であるとき、前記第１および第２の種類のうち前記集積部に集積された枚数が多い方の種類に属する紙葉類について、前記集積部への集積を行わない
ことを特徴とする紙葉類処理装置。
【請求項５】
請求項２記載の紙葉類処理装置において、
前記集積部を、複数、備えており、
前記制御部は、前記複数の集積部の中から、前記指標値に基づいて、集積を許可する集積部を選択し、かつ、集積を許可する集積部が複数あるとき、前記搬送部によって搬送された紙葉類を集積したときに前記指標値が目的とする値に近づくようになる集積部を、選択する
ことを特徴とする紙葉類処理装置。
【請求項６】
請求項１記載の紙葉類処理装置において、
前記搬送部によって搬送された紙葉類を、その紙面同士が接触するように整列した状態で、集積するよう構成された第２集積部を備え、
前記制御部は、前記集積部への集積を許可しなかった紙葉類について、前記第２集積部に集積されるよう、前記搬送部を制御する
ことを特徴とする紙葉類処理装置。
【請求項７】
請求項１記載の紙葉類処理装置において、
紙葉類を保管する保管部を備え、
前記制御部は、前記集積部への集積を許可しなかった紙葉類について、前記保管部に搬送されるよう、前記搬送部を制御する
ことを特徴とする紙葉類処理装置。
【請求項８】
請求項７記載の紙葉類処理装置において、
前記集積部は、繰出部を有しており、
前記保管部は、繰出部を有していない
ことを特徴とする紙葉類処理装置。
【請求項９】
請求項１記載の紙葉類処理装置において、
当該紙葉類処理装置が受け付けない紙葉類を受ける排出部と、
紙葉類を保管する保管部とを備え、
前記制御部は、前記集積部への集積を許可しなかった紙葉類について、前記排出部または前記保管部に搬送されるよう、前記搬送部を制御するものであり、かつ、搬送先として前記排出部または前記保管部を切替設定可能に構成されている
ことを特徴とする紙葉類処理装置。
【請求項１０】
請求項１記載の紙葉類処理装置において、
前記制御部は、紙葉類の前記集積部への集積を許可しなかったとき、または、紙葉類の前記集積部への集積を許可しなかった場合において前記判断の履歴が所定条件を満たすとき、前記取込部の取り込み動作を停止する
ことを特徴とする紙葉類処理装置。
【請求項１１】
請求項１記載の紙葉類処理装置において、
前記制御部は、紙葉類の前記集積部への集積を許可しなかったとき、または、紙葉類の前記集積部への集積を許可しなかった場合において前記判断の履歴が所定条件を満たすとき、前記取込部から取り込む紙葉類の表裏または向きの変更を促す情報を、情報出力部を介して、前記紙葉類処理装置の外部に出力する
ことを特徴とする紙葉類処理装置。
【請求項１２】
請求項１記載の紙葉類処理装置において、
前記集積部に集積された紙葉類について、集積された順番と、前記複数の種類のいずれに属するかを示す情報とを特定する集積情報を記憶する記憶部を備えた
ことを特徴とする紙葉類処理装置。
【請求項１３】
請求項１２記載の紙葉類処理装置において、
前記集積部は、紙葉類を繰り出すための繰出部を有し、
前記制御部は、前記集積部からの紙葉類の繰り出しに伴い、前記集積情報を更新する
ことを特徴とする紙葉類処理装置。
【請求項１４】
紙葉類を、その紙面同士が接触するように整列した状態で、集積するよう構成された少なくとも１つの集積部を備えた紙葉類処理装置において、前記集積部への紙葉類の搬送動作を制御する方法であって、
搬送部が、前記紙葉類処理装置に取り込まれた紙葉類を搬送し、
識別部が、前記搬送部によって搬送される紙葉類の表裏及び向きを識別し、
制御部が、
前記識別部によって識別された表裏及び向きに基づいて、紙葉類を厚さの分布が異なる複数の種類に分類し、
前記集積部に集積された紙葉類の枚数を、前記複数の種類ごとに管理し、
前記識別部によって識別された紙葉類が属する種類と、前記集積部に集積された紙葉類の前記複数の種類ごとの枚数とに基づいて、前記集積部への前記紙葉類の集積を許可するか否かの判断を、前記集積部ごとに、行い、
前記集積部への集積を許可しなかった紙葉類について、当該紙葉類処理装置が受け付けない紙葉類を受ける排出部に搬送されるよう、前記搬送部を制御する
ことを特徴とする紙葉類処理装置の制御方法。
【発明の詳細な説明】
【技術分野】
【０００１】
ここに開示する技術は、紙葉類処理装置およびその制御方法に関する。
【背景技術】
【０００２】
特許文献１には、紙幣を収納するカートリッジを備えた循環式の紙幣処理装置が記載されている。この紙幣処理装置は、偽造防止用のスレッドやホログラム等の識別体を有する紙幣を処理するように構成されている。識別体を有する紙幣は、紙幣の厚みが一様ではなく、偏りを有している。このような紙幣を同じ方向で積み重ねると、識別体が同じ位置で重なり合うため、積み重なった紙幣の上部の紙面は傾いてしまう。この結果、集積不良や送り出し不良を起こす可能性が高まる。
【０００３】
この問題に対処するために、特許文献１に記載の紙幣処理装置では、紙幣の搬送路の途中に、反転部を分岐して設けており、搬送制御対象の紙幣の方向が同一金種の先行紙幣の方向と同じ場合は、反転部によって搬送制御対象の紙幣を反転させてカートリッジに集積している。この構成によって、識別体が同じ位置で所定枚数以上連続して重ならないようにしている。
【先行技術文献】
【特許文献】
【０００４】
【特許文献１】特許第３８５６４４１号公報
【発明の概要】
【発明が解決しようとする課題】
【０００５】
ところが、特許文献１に記載されている紙幣処理装置は、紙幣を搬送する搬送路の途中に反転部を設ける必要があるため、紙幣処理装置が大型化してしまう。また、紙幣を搬送している過程において紙幣の搬送先を切り替えなければならないため、紙幣の搬送制御が複雑化するという問題がある。さらには、同じ方向の紙幣が連続搬送される枚数に基づいて反転動作を行うため、集積部における実際の集積状態に基づいた適切な制御が行われるとは必ずしもいえず、例えば、実際の集積状態からみると不必要な反転動作が行われる可能性が高い。
【０００６】
ここに開示する技術は、かかる点に鑑みてなされたものであり、紙葉類をその紙面同士が接触するように整列した状態で集積するよう構成された集積部を備えた紙葉類処理装置において、装置の大型化や搬送制御の複雑化を招くことなく、集積部における紙葉類の集積状態を適切に制御可能にすることを目的とする。
【課題を解決するための手段】
【０００７】
ここに開示する技術は、紙葉類処理装置であって、紙葉類を１枚ずつ取り込む取込部と、前記取込部から取り込まれた紙葉類を搬送する搬送部と、前記搬送部によって搬送される紙葉類の表裏及び向きを識別する識別部と、前記搬送部によって搬送された紙葉類を、その紙面同士が接触するように整列した状態で、集積するよう構成された少なくとも１つの集積部と、を備えている。紙葉類処理装置は、当該紙葉類処理装置が受け付けない紙葉類を受ける排出部をさらに備える。
【０００８】
紙葉類処理装置は、前記集積部への紙葉類の搬送動作を制御する制御部を備えている。前記制御部は、前記識別部によって識別された表裏及び向きに基づいて、紙葉類を厚さの分布が異なる複数の種類に分類し、前記集積部に集積された紙葉類の枚数を、前記複数の種類ごとに管理し、前記識別部によって識別された紙葉類が属する種類と、前記集積部に集積された紙葉類の前記複数の種類ごとの枚数とに基づいて、前記集積部への前記紙葉類の集積を許可するか否かの判断を、前記集積部ごとに、行い、前記集積部への集積を許可しなかった紙葉類について、前記排出部に搬送されるよう、前記搬送部を制御する。
【０００９】
この構成によると、集積部への紙葉類の搬送動作を制御する制御部によって、紙葉類処理装置に取り込まれた紙葉類は、識別部によって識別された表裏及び向きに基づいて、厚さの分布が異なる複数の種類に分類され、集積部に集積された紙葉類の枚数は、この複数の種類ごとに管理される。そして、集積部への紙葉類の集積を許可するか否かの判断が、当該紙葉類が属する種類と、集積部に集積された紙葉類の複数の種類ごとの枚数とに基づいて、集積部ごとに、行われる。集積部への集積が許可されなかった紙葉類は、当該紙葉類処理装置が受け付けない紙葉類を受ける排出部に搬送される。これにより、集積部における実際の紙葉類の集積状態に基づいて、紙葉類の搬送動作を適切に制御することが可能になり、集積部における紙葉類の集積状態を適切な状態に保つことができる。しかも、装置の大型化や搬送制御の複雑化を招くことはない。
【００１０】
前記制御部は、前記集積部に集積された紙葉類の前記複数の種類ごとの枚数から、前記集積部における紙葉類の集積状態を表す指標値を求め、この指標値に基づいて、前記判断を行う、としてもよい。
【００１１】
この構成によると、集積部に集積された紙葉類の複数の種類ごとの枚数から、集積部における紙葉類の集積状態を表す指標値が求められ、この指標値に基づいて、集積部への紙葉類の集積を許可する判断が行われる。このため、集積部における実際の紙葉類の集積状態に基づいた搬送制御を、的確に実行することができる。
【００１２】
指標値は、例えば、集積部における紙葉類の集積状態の不安定度合を表す値とすることができる。また、指標値は、紙葉類の集積方向に垂直な面に対する、集積された紙葉類の傾斜度合を表す値としてもよい。具体的には、紙葉類が上下方向に整列される場合は、最も上位に集積された紙葉類の、水平面に対する傾斜度合を表す値としてもよく、また、紙葉類が水平方向に整列される場合は、紙葉類を集積するための支持面から最も離れた紙葉類の、垂直面に対する傾斜度合を表す値としてもよい。
【００１３】
前記制御部は、紙葉類を、前記複数の種類として、第１および第２の種類に分類し、前記集積部に集積された前記第１および第２の種類の紙葉類の枚数の差を、前記指標値として用いる、としてもよい。
【００１４】
この構成によると、紙葉類は第１および第２の種類に分類され、第１および第２の種類の紙葉類の枚数の差が、集積部における紙葉類の集積状態を表す指標値として用いられる。このため、集積部における実際の紙葉類の集積状態に基づいた搬送制御を、的確にかつ簡易に、実行することができる。
【００１５】
前記制御部は、前記差が所定値以上であるとき、前記第１および第２の種類のうち前記集積部に集積された枚数が多い方の種類に属する紙葉類について、前記集積部への集積を行わない、としてもよい。
【００１６】
この構成によると、第１および第２の種類の紙葉類の枚数の差が所定値以上であるとき、多い方の種類の紙葉類の集積部への集積が許可されないので、第１および第２の種類の紙葉類の枚数の差が小さくなるよう制御される。
【００１７】
紙葉類処理装置は、前記集積部を、複数、備えており、前記制御部は、前記複数の集積部の中から、前記指標値に基づいて、集積を許可する集積部を選択し、かつ、集積を許可する集積部が複数あるとき、前記搬送部によって搬送された紙葉類を集積したときに前記指標値が目的とする値に近づくようになる集積部を、選択する、としてもよい。
【００１８】
この構成によると、複数の集積部の中から、集積部における紙葉類の集積状態を表す指標値に基づいて、集積を許可する集積部が選択される。そして、集積を許可する集積部が複数あるとき、紙葉類を集積したときに指標値が目的とする値に近づくようになる集積部が選択される。例えば、指標値が、集積部における紙葉類の集積状態の不安定度合を表す値である場合は、不安定度合が小さくなるように集積部が選択される。また例えば、指標値が、紙葉類の集積方向に垂直な面に対する、集積された紙葉類の傾斜度合を表す値である場合は、傾斜度合が小さくなるように集積部が選択される。これにより、複数の集積部における紙葉類の集積状態を、より適切な状態に保つことができる。
【００１９】
紙葉類処理装置は、前記搬送部によって搬送された紙葉類を、その紙面同士が接触するように整列した状態で、集積するよう構成された第２集積部を備え、前記制御部は、前記集積部への集積を許可しなかった紙葉類について、前記第２集積部に集積されるよう、前記搬送部を制御する、としてもよい。
【００２０】
この構成により、集積部への集積が許可されなかった紙葉類は、第２集積部に集積される。
【００２１】
紙葉類処理装置は、紙葉類を保管する保管部を備え、前記制御部は、前記集積部への集積を許可しなかった紙葉類について、前記保管部に搬送されるよう、前記搬送部を制御する、としてもよい。
【００２２】
この構成により、集積部への集積が許可されなかった紙葉類は、紙葉類を保管する保管部に搬送される。
【００２３】
そして、前記集積部は、繰出部を有しており、前記保管部は、繰出部を有していない、としてもよい。
【００２４】
紙葉類処理装置は、当該紙葉類処理装置が受け付けない紙葉類を受ける排出部と、紙葉類を保管する保管部とを備え、前記制御部は、前記集積部への集積を許可しなかった紙葉類について、前記排出部または前記保管部に搬送されるよう、前記搬送部を制御するものであり、かつ、搬送先として前記排出部または前記保管部を切替設定可能に構成されている、としてもよい。
【００２５】
この構成により、集積部への集積が許可されなかった紙葉類は、当該紙葉類処理装置が受け付けない紙葉類を受ける排出部、または、紙葉類を保管する保管部に搬送され、また搬送先を切替設定することができる。
【００２６】
前記制御部は、紙葉類の前記集積部への集積を許可しなかったとき、または、紙葉類の前記集積部への集積を許可しなかった場合において前記判断の履歴が所定条件を満たすとき、前記取込部の取り込み動作を停止する、としてもよい。
【００２７】
この構成によると、紙葉類の集積部への集積が許可されなかったときなどにおいて、紙葉類の取り込み動作が停止されるので、ユーザの無駄な作業の発生を抑えることができる。
【００２８】
前記制御部は、紙葉類の前記集積部への集積を許可しなかったとき、または、紙葉類の前記集積部への集積を許可しなかった場合において前記判断の履歴が所定条件を満たすとき、前記取込部から取り込む紙葉類の表裏または向きの変更を促す情報を、情報出力部を介して、前記紙葉類処理装置の外部に出力する、としてもよい。
【００２９】
この構成によると、紙葉類の集積部への集積が許可されなかったときなどにおいて、取り込む紙葉類の表裏または向きの変更を促す情報が、紙葉類処理装置の外部に出力されるので、この情報を受けたユーザは、紙葉類の表裏または向きを変えて再度投入することができる。
【００３０】
紙葉類処理装置は、前記集積部に集積された紙葉類について、集積された順番と、前記複数の種類のいずれに属するかを示す情報とを特定する集積情報を記憶する記憶部を備えたものとしてもよい。
【００３１】
この構成によると、記憶部に記憶された集積情報から、集積部に集積された紙葉類の複数の種類ごとの枚数を、容易に管理することができる。
【００３２】
そして、前記集積部は、紙葉類を繰り出すための繰出部を有し、前記制御部は、前記集積部からの紙葉類の繰り出しに伴い、前記集積情報を更新する。
【００３３】
この構成により、集積情報が、集積部における実際の集積状態に応じて更新される。
【００３４】
また、ここに開示する技術は、紙葉類を、その紙面同士が接触するように整列した状態で、集積するよう構成された少なくとも１つの集積部を備えた紙葉類処理装置において、前記集積部への紙葉類の搬送動作を制御する方法であって、搬送部が、前記紙葉類処理装置に取り込まれた紙葉類を搬送し、識別部が、前記搬送部によって搬送される紙葉類の表裏及び向きを識別し、制御部が、前記識別部によって識別された表裏及び向きに基づいて、紙葉類を厚さの分布が異なる複数の種類に分類し、前記集積部に集積された紙葉類の枚数を、前記複数の種類ごとに管理し、前記識別部によって識別された紙葉類が属する種類と、前記集積部に集積された紙葉類の前記複数の種類ごとの枚数とに基づいて、前記集積部への前記紙葉類の集積を許可するか否かの判断を、前記集積部ごとに、行い、前記集積部への集積を許可しなかった紙葉類について、当該紙葉類処理装置が受け付けない紙葉類を受ける排出部に搬送されるよう、前記搬送部を制御する。
【００３５】
この構成によると、制御部によって、紙葉類処理装置に取り込まれた紙葉類は、識別部によって識別された表裏及び向きに基づいて、厚さの分布が異なる複数の種類に分類され、集積部に集積された紙葉類の枚数は、この複数の種類ごとに管理される。そして、集積部への紙葉類の集積を許可する判断が、当該紙葉類が属する種類と、集積部に集積された紙葉類の複数の種類ごとの枚数とに基づいて、集積部ごとに、行われる。集積部への集積が許可されなかった紙葉類は、当該紙葉類処理装置が受け付けない紙葉類を受ける排出部に搬送される。これにより、集積部における実際の紙葉類の集積状態に基づいて、紙葉類の搬送動作を適切に制御することが可能になり、集積部における紙葉類の集積状態を適切な状態に保つことができる。しかも、装置の大型化や搬送制御の複雑化を招くことはない。
【発明の効果】
【００３６】
本開示によると、紙葉類処理装置において、集積部における実際の紙葉類の集積状態に基づいて、紙葉類の搬送動作を適切に制御することが可能になり、集積部における紙葉類の集積状態を適切な状態に保つことができる。
【図面の簡単な説明】
【００３７】
【図１】紙葉類処理装置の構成を概念的に示す図
【図２】紙葉類の方向を説明する説明図
【図３】紙葉類の方向が同じである場合の整列状態を例示する説明図
【図４】集積部の集積状態に応じて、紙葉類の搬送動作を制御する構成を示すブロック図
【図５】記憶部に記憶された紙葉類の枚数データの例
【図６】集積部への紙葉類の搬送動作を制御する処理の例を示すフローチャート
【図７】記憶部に記憶された紙葉類の枚数データの他の例
【図８】紙葉類処理装置の他の構成を示す外観図
【発明を実施するための形態】
【００３８】
以下、紙葉類処理装置の実施形態を、図面を参照しながら説明する。以下においては、紙葉類処理装置の１つとしての、紙幣処理装置を例として、ここに開示する技術を説明する。
【００３９】
（紙幣処理装置の全体構成）
図１は、紙幣処理装置１の構成を示す概念図である。紙幣処理装置１は、銀行等の金融機関の店舗において使用される装置である。紙幣処理装置１は、図１の例では、紙幣の入金処理、及び、出金処理を行う紙幣入出金機である。この紙幣処理装置１は、いわゆる循環式の紙幣入出金機である。つまり、紙幣処理装置１が出金処理時に払い出す紙幣には、入金処理時に、装置内に収納した紙幣が含まれる。なお、紙幣処理装置１は、循環式の紙幣入出金機に限定されない。また、紙幣処理装置１は、紙幣入出金機に限らない。
【００４０】
紙幣処理装置１は、入金部１１と、出金部１２と、識別部１３と、一時保留部１４と、搬送部１５と、紙幣を収納する収納部２と、を備えている。
【００４１】
入金部１１は、詳細な図示は省略するが、紙幣を入れる入金口を有している。入金口は、紙幣処理装置１の上面に開口している。例えば入金処理の際には、入金口に、紙幣を入れる。入金口は、複数枚の紙幣を一度に保持する。入金部１１は、紙葉類を１枚ずつ取り込む取込部の一例である。
【００４２】
出金部１２は、紙幣処理装置１の上面に開口する出金口を有している。例えば出金処理の際には、出金口に、紙幣が出てくる。出金口は、複数枚の紙幣を一度に保持する。出金部１２は、紙葉類処理装置が受け付けない紙葉類を受ける排出部の一例である。
【００４３】
識別部１３は、後述する、紙幣の搬送路１５１の途中に設けられている。識別部１３は、搬送路１５１に沿って搬送される紙幣の一枚一枚について、金種及び真偽を少なくとも識別するように構成される。さらに、識別部１３は、紙幣の正損を識別するように構成してもよい。識別部１３は、具体的には、画像センサ、赤外線センサ、紫外線センサ、及び磁気センサ等の紙幣の特徴を取得する各種のセンサを有している。識別部１３は、これらのセンサによって紙幣の特徴を取得すると共に、紙幣の識別を行う。
【００４４】
一時保留部１４は、例えば出金処理時に発生したリジェクト紙幣を一時的に収納する収納部である。また、一時保留部１４は、例えば入金処理時に取り込んだ紙幣を一時的に収納する収納部である。一時保留部１４は、ここでは巻き取り方式の収納部である。
【００４５】
収納部２は、図１に示す構成例では、第１〜第５の５つの紙幣収納カセット２１−１〜２１−５と、回収カセット２３と、を有している。なお、以下の説明において、第１〜第５の紙幣収納カセットを総称する場合には、符号「２１」を付し、第１、第２、第３、第４及び第５の紙幣収納カセットを区別するときには、符号「２１−１、２１−２、２１−３、２１−４、２１−５」をそれぞれ付す。第１〜第５の紙幣収納カセット２１−１〜２１−５と、回収カセット２３とはそれぞれ、紙幣処理装置１に対し、着脱可能に取り付けられる。
【００４６】
第１〜第４の紙幣収納カセット２１−１〜２１−４は、紙幣処理装置１の奥行き方向（図１における紙面左右方向）の奥側（紙面左側）から手前側（紙面右側）に向かって順に並んで配設されている。第５の紙幣収納カセット２１−５は、上下方向に延びる接続路を挟んで、第４の紙幣収納カセット２１−４よりもさらに手前側に配設されている。
【００４７】
紙幣収納カセット２１は、その内部に、紙面同士が接触するように、上下方向に整列した状態で、紙幣を収納する。つまり、紙幣収納カセット２１は、紙幣を上下方向に積み重ねた状態で収納する。紙幣収納カセット２１は、紙葉類を、その紙面同士が接触するように整列した状態で、集積するよう構成された集積部の一例である。紙幣収納カセット２１は、内部に送り込まれた紙幣を収納すると共に、収納している紙幣を外部に送り出すことが可能に構成されている。
【００４８】
紙幣収納カセット２１の内部には、紙幣を整列した状態に支持する支持部２２と、紙幣の通過口の近傍に配設されたローラー２４とが設けられている。搬送された紙幣は、支持部２２の支持面の上に積み重ねられる。繰出部の一例であるローラー２４は、紙幣収納カセット２１内に送り込まれた紙幣を支持部２２の支持面の上に積み重ねると共に、紙幣収納カセット２１内に収納している紙幣を、一枚ずつ外部に送り出す。
【００４９】
なお、第４の紙幣収納カセット２１−４の内部は、図１に示すように、上下に二分割されている。第４の紙幣収納カセット２１−４の上側の空間、及び、下側の空間にはそれぞれ、支持部２２及びローラー２４が、個別に設けられる。
【００５０】
回収カセット２３は、第１〜第５の紙幣収納カセット２１−１〜２１−５の下側に配設されている。回収カセット２３は、紙幣処理装置１の奥行き方向に細長い形状を有している。回収カセット２３は、詳細な図示は省略するが、紙面同士が接触するように、水平方向に整列した状態で、紙幣を収納するように構成されている。つまり、回収カセット２３内において、紙幣は、それぞれ立てた状態にされかつ、紙幣処理装置１の奥行き方向に並べられる。この回収カセット２３は、繰出部を有しておらず、収納している紙幣を送り出すことができないように構成されている。回収カセット２３には、例えば入金処理時に入金口に投入された紙幣の内、紙幣収納カセット２１に収納することができなかった紙幣（例えばオーバーフロー紙幣）等を収納する。回収カセット２３は、紙葉類を保管する保管部の一例である。
【００５１】
搬送部１５は、ループ状の搬送路１５１を備えている。入金部１１、出金部１２、一時保留部１４、第１〜第５の紙幣収納カセット２１−１〜２１−５、及び回収カセット２３はそれぞれ、接続路を介して搬送路１５１に接続されている。搬送路１５１上で搬送されている紙幣は、選択的に、出金部１２、一時保留部１４、第１〜第５の紙幣収納カセット２１−１〜２１−５、及び、回収カセット２３に搬送される。
【００５２】
紙幣処理装置１は、入金処理時には次のように動作する。すなわち、入金対象の紙幣は、入金口に投入される。入金部１１は、入金口内の紙幣を一枚ずつ送り出す。搬送部１５は、紙幣を識別部１３に搬送する。識別部１３は、紙幣を識別する。搬送部１５は、紙幣を一時保留部１４に送る。一時保留部１４は、入金された紙幣を一時的に収納する。搬送部１５はまた、識別結果に基づいて、一時保留部１４から所定の紙幣収納カセット２１、又は、回収カセット２３に、紙幣を搬送する。搬送部１５は、紙幣を出金部１２に搬送する場合もある。入金口内の紙幣が全て送り出されると、入金処理が終了する。
【００５３】
紙幣処理装置１は、出金処理時には次のように動作する。すなわち、出金口に払い出す紙幣が、所定の紙幣収納カセット２１から送り出される。搬送部１５は、紙幣を識別部１３に搬送する。識別部１３は、紙幣の識別を行う。搬送部１５は、正常券を、出金口に払い出す。搬送部１５は、リジェクト券を、一時保留部１４に送る。一時保留部１４は、リジェクト券を収納する。指定された金額の紙幣が出金口に払い出されると、出金処理が終了する。搬送部１５はまた、一時保留部１４に収納されたリジェクト券を、所定の紙幣収納カセット２１、または、回収カセット２３に搬送する。
【００５４】
（対象とする紙幣の例）
この紙幣処理装置１が処理対象とする紙幣のうち少なくとも一部は、その紙面の一部が凸になっており、厚さが一様でなく、偏りを有している。具体的には、図２に概念的に示すように、紙幣１００における所定の箇所に、紙幣の金種を示す点字１０１が設けられている。または、図示は省略するが、紙幣１００の一部に、偽造防止用のスレッドや、ホログラムが設けられている。スレッドは、紙幣１００の、例えば短手方向の端から端まで延びて設けられるものでもよいし、紙幣１００の一部分のみに設けられるものでもよい。
【００５５】
図２の例では、点字１０１は、紙幣１００の表面における左上部に設けられている。点字１０１は、他の部分よりも表面から凸になっている。紙幣１００の裏面には凹凸がないとしてもよい。または、紙幣１００の裏面における点字１０１の箇所は、凹になっていてもよい。また、凸を有する紙幣１００は、紙素材とポリマー素材とを組み合わせた、いわゆる複合材料紙幣であってもよい。複合材料紙幣は、紙幣の表面及び裏面のそれぞれにおいて、その一部が凸になる場合がある。
【００５６】
入金口に投入される紙幣１００の方向は不揃いである。なお、ここでいう方向は、紙幣１００の表裏、及び、上下の向きを含む。よって、搬送路１５１を搬送される紙幣１００の方向も不揃いであり、各紙幣収納カセット２１内で積み重なっている紙幣１００の方向も不揃いである。搬送される紙幣１００の方向、及び、紙幣収納カセット２１に収納されるときの紙幣１００の方向は、紙幣１００の表裏、及び、上下の向きの組み合わせから、図２に示すように、Ａ〜Ｄの４つの方向がある。Ａ方向は、紙幣１００が表でかつ、特定方向（この特定方向は、搬送中であれば紙幣１００の搬送方向に相当する）に従う向きである。なお、以下の説明では、特定方向に従う向きを、便宜上、上向きと呼ぶ。Ｂ方向は、紙幣１００が表でかつ、特定方向に逆らう向きである。なお、以下の説明では、特定方向に逆らう向きを、便宜上、下向きと呼ぶ。Ｃ方向は、紙幣１００が裏でかつ、下向きであり、Ｄ方向は、紙幣１００が裏でかつ、上向きである。
【００５７】
Ａ方向とＢ方向とは、紙幣１００の上下の向きを反転させた関係であり、同様に、Ｃ方向とＤ方向とは、紙幣１００の上下の向きを反転させた関係である。Ａ方向とＣ方向とは、紙幣１００を短手方向に対して、表裏を反転させた関係であり、同様に、Ｂ方向とＤ方向とは、紙幣１００を短手方向に対して、表裏を反転させた関係である。Ａ方向とＤ方向とは、紙幣１００を長手方向に対して、表裏を反転させた関係であり、同様に、Ｂ方向とＣ方向とは、紙幣１００を長手方向に対して、表裏を反転させた関係である。
【００５８】
点字１０１が設けられた紙幣１００を、点字１０１が同じ位置で重なるように紙幣収納カセット２１内で積み重ねると、例えば図３に概念的に示すように、紙幣１００の紙面が傾斜するようになる。特に、通過口２１１に最も近い紙幣、言い換えると、支持部２２から最も離れた最上位の紙幣１００の紙面は、整列方向に直交する状態から大きく傾く。図３における紙面の傾き度合は、長手方向については、一方の端と他方の端との高低差δ１で表される。また、短手方向については、一方の端と他方の端との高低差δ２で表される。なお、紙幣収納カセット２１内に設けたセンサ２６１〜２６４の検知に基づいて支持部２２の高さを調整することによって、最上位の紙幣１００は、紙幣収納カセット２１内における所定の高さ位置（つまり、通過口２１１の近傍）に位置づけられている。
【００５９】
このように紙面が傾いている状態で、新たな紙幣１００を積み重ねようとすると、傾いた最上位の紙幣１００の上を、新たに積み重ねようとする紙幣１００が滑落し、集積不良を起こす場合がある。
【００６０】
また、紙幣収納カセット２１から紙幣１００を送り出すときには、ローラー２４が回転することによって、最上位の紙幣１００を紙幣収納カセット２１の外部に送り出すことになる。最上位の紙幣１００の紙面が傾いていると、紙幣に対する２つのローラー２４の押圧力が不均等になって、紙幣１００の送り出し方向が曲がってしまったり、紙幣１００の送り出しができなくなったりする送り出し不良を起こす場合がある。
【００６１】
そこで、本実施形態では、紙幣収納カセット２１について、紙幣の集積状態に応じて新たな紙幣の搬送動作を制御することによって、集積不良や送り出し不良を未然に回避する。以下、その制御の詳細について説明する。
【００６２】
（集積部への紙幣の搬送制御）
図４は、紙幣収納カセット２１の集積状態に応じて、新たな紙幣の搬送動作を制御するための構成を示すブロック図である。制御部３０は、紙幣収納カセット２１における紙幣の集積状態に基づいて、入金部１１から取り込まれた紙幣について、紙幣収納カセット２１への搬送動作を制御する。ここでは、紙幣収納カセット２１の中の、第１〜第３の紙幣収納カセット２１−１〜２１−３を制御対象としている。なお、制御部３０の機能の一部または全部は、ハードウェアまたはソフトウェアによって実現される。例えば、紙幣処理装置１内に設けられた制御基板上に構成された回路や、記録されたプログラムを実行するマイクロコンピュータ等によって、制御部３０は実現可能である。また、制御部３０は、紙幣処理装置１内の他の制御部と別個に構成されてもよいし、一体に構成されてもかまわない。
【００６３】
制御部３０は、識別部１３によって識別された表裏および向きに基づいて、搬送部１５によって搬送された紙幣を、厚さの分布が異なる複数の種類に分類する（紙幣分類）。ここでは、紙幣を２つの種類に分類する。図２に示す紙幣の方向の中で、Ａ方向およびＣ方向の紙幣を第１の種類ＴＹ１とし、Ｂ方向およびＤ方向の紙幣を第２の種類ＴＹ２とする。第１および第２の種類ＴＹ１，ＴＹ２は、長手方向において厚さの分布が異なっている。すなわち、第１の種類ＴＹ１に属する紙幣は、図２における左側が、点字１０１の存在によって厚くなっており、一方、第２の種類ＴＹ２に属する紙幣は、図２における右側が、点字１０１の存在によって厚くなっている。紙幣収納カセット２１に、第１および第２の種類ＴＹ１，ＴＹ２の紙幣を、その枚数差が大きくならないように集積することによって、積み重ねた紙幣の長手方向における傾きを抑えることができる。
【００６４】
制御部３０は、紙幣収納カセット２１に集積された紙幣の枚数を、分類した複数の種類ごとに管理する（枚数管理）。すなわち、ここでは、第１の種類ＴＹ１と第２の種類ＴＹ２とのそれぞれについて、紙幣収納カセット２１に集積された紙幣の枚数を管理する。管理する紙幣の枚数のデータは、記憶部４０に格納される。
【００６５】
図５は記憶部４０に記憶された紙幣の枚数データの例である。図５の例では、紙幣収納カセット２１に集積された紙幣の種類ごとの枚数を、カウント値として管理している。記憶部４０はカウント値として、第１の種類ＴＹ１の紙幣の枚数Ｎ１と、第２の種類ＴＹ２の紙幣の枚数Ｎ２とを記憶している。ここでは、第１〜第３の紙幣収納カセット２１−１〜２１−３のそれぞれについて、カウント値が管理されている。
【００６６】
また、記憶部４０は、紙幣収納カセット２１に集積された紙幣について、集積された順番と、第１および第２の種類ＴＹ１，ＴＹ２のいずれに属するかを示す情報とを特定する集積情報を記憶する。ここでは、カウント値は、集積情報から求められるものとする。制御部３０は、紙幣収納カセット２１への紙幣の集積、および、紙幣収納カセット２１からの紙幣の送り出しに伴い、記憶部４０に記憶された集積情報を更新する。集積情報の更新に伴い、カウント値が更新される。これにより、紙幣収納カセット２１に集積された紙幣の種類毎の枚数が、制御部３０によって常に管理される。なお、集積情報を記憶せず、カウント値のみを管理する構成とすることも可能である。
【００６７】
制御部３０は、搬送部１５によって搬送された紙幣について、第１および第２の種類ＴＹ１，ＴＹ２のうち当該紙幣が属する種類と、記憶部４０に記憶されたカウント値、すなわち紙幣収納カセット２１に集積された紙幣の第１および第２の種類ＴＹ１，ＴＹ２ごとの枚数とに基づいて、紙幣収納カセット２１への集積を許可する判断を行う（許可判断）。
【００６８】
また、制御部３０は、紙幣処理装置１に設けられたディスプレイや音声出力装置等の情報出力部３５から、後述するガイダンスを出力可能である。
【００６９】
図６は紙幣収納カセット２１への紙幣の搬送動作を制御する処理の例を示すフローチャートである。図６において、ユーザが紙幣を入金部１１に置くと、入金部１１は紙幣を１枚ずつ取り込む（Ｓ１１）。取り込まれた紙幣は、搬送部１５によって搬送され、識別部１３によって、その金種、並びに、表裏および向きが識別される（Ｓ１２）。識別された表裏および向きから、紙幣の方向は図２に示すＡ−Ｄ方向のいずれかに分類される。
【００７０】
制御部３０は、搬送部１５によって搬送された紙幣について、識別部１３から送られた識別結果を受ける。そして、識別された表裏および向きから、紙幣の種類を特定する（Ｓ１３）。上述したとおり、ここでは、Ａ方向およびＣ方向の紙幣を第１の種類ＴＹ１とし、Ｂ方向およびＤ方向の紙幣を第２の種類ＴＹ２とする。また、制御部３０は、識別された金種の紙幣収納カセット２１（例えば紙幣収納カセット２１−１）について、カウンタ値を記憶部４０から読み出す（Ｓ１４）。このカウンタ値は、紙幣収納カセット２１−１に集積された紙幣の第１および第２の種類ＴＹ１，ＴＹ２ごとの枚数を表している。
【００７１】
制御部３０は、搬送された紙幣について、紙幣収納カセット２１への集積を許可するか否かを判断する（Ｓ１５−Ｓ１９）。紙幣が第１の種類ＴＹ１のときは、紙幣の集積状態を表す指標値として、枚数の差（Ｎ１−Ｎ２）を用いて判断を行う。（Ｎ１−Ｎ２）が相当程度大きいとき、すなわち、第１の種類ＴＹ１の紙幣が第２の種類ＴＹ２の紙幣よりも相当程度多いときは、積み重なった紙幣の長手方向における紙面の傾きが大きくなり、紙幣収納カセット２１における紙幣の集積状態が不安定である。その状態で第１の種類ＴＹ１の紙幣をさらに集積することは、不安定度合を助長することになり、好ましくない。そこで、（Ｎ１−Ｎ２）が閾値ＴＨ１（例えば１００）未満であるときは、紙幣収納カセット２１への集積を許可すると判断し（Ｓ１８）、一方、閾値ＴＨ１以上であるときは、紙幣収納カセット２１への集積を許可しないと判断する（Ｓ１９）。
【００７２】
また、紙幣が第２の種類ＴＹ２のときは、紙幣の集積状態を表す指標値として、枚数の差（Ｎ２−Ｎ１）を用いて判断を行う。（Ｎ２−Ｎ１）が相当程度大きいとき、すなわち、第２の種類ＴＹ２の紙幣が第１の種類ＴＹ１の紙幣よりも相当程度多いときは、積み重なった紙幣の長手方向における紙面の傾きが大きくなり、紙幣収納カセット２１における紙幣の集積状態が不安定である。その状態で第２の種類ＴＹ２の紙幣をさらに集積することは、その不安定度合を助長することになり、好ましくない。そこで、（Ｎ２−Ｎ１）が閾値ＴＨ２（例えば１００）未満であるときは、紙幣収納カセット２１への集積を許可すると判断し（Ｓ１８）、一方、閾値ＴＨ２以上であるときは、紙幣収納カセット２１への集積を許可しないと判断する（Ｓ１９）。なお、閾値ＴＨ１，ＴＨ２は、同じ値であってもよいし異なる値であってもよい。
【００７３】
制御部３０は、集積を許可すると判断したときは、紙幣を紙幣収納カセット２１に集積するよう搬送部１５を制御する（Ｓ２０）。そして、記憶部４０に格納された集積情報を、集積した紙幣の種類に応じて更新する（Ｓ２１）。集積情報の更新に伴って、種類ごとの紙幣の枚数を表すカウント値も更新される。一方、制御部３０は、集積を許可しないと判断したときは、その紙幣を紙幣収納カセット２１に集積せず、代わりに例えば、紙幣を排出部の一例である出金部１２に搬送するよう搬送部１５を制御する（Ｓ２２）。すなわち、集積を許可しないと判断された紙幣は、返却される。これにより、紙幣収納カセット２１への集積を許可しないと判断した場合であっても、処理を止める必要がなくなる。
【００７４】
なお、紙幣収納カセット２１への集積を許可しなかった紙幣について、出金部１２に搬送する代わりに、一時保留部１４に搬送してもよいし、保管部の一例である回収カセット２３に搬送してもよい。あるいは、制御部３０は、集積を許可しないと判断した紙幣について、第２集積部としての例えば第５の紙幣収納カセット２１−５に集積されるよう、搬送部１５を制御してもよい。
【００７５】
また、制御部３０は、紙幣収納カセット２１への集積を許可しなかった紙幣について、出金部１２または回収カセット２３に搬送されるよう、搬送部１５を制御するものであり、かつ、搬送先として、出金部１２または回収カセット２３を切替設定可能に構成されていてもよい。この切替設定は、例えば、紙幣処理装置１に設けられたタッチパネルなどの操作入力部を介して、行えるようにすればよい。
【００７６】
以上の例では、紙幣収納カセット２１への紙幣の搬送動作を制御する制御部３０は、紙幣処理装置１に取り込まれた紙幣を、識別部１３によって識別された表裏及び向きに基づいて、厚さの分布が異なる第１および第２の種類ＴＹ１，ＴＹ２に分類し、紙幣収納カセット２１に集積された紙幣の枚数を、この種類ＴＹ１，ＴＹ２ごとに管理する。そして、制御部３０は、紙幣が属する種類と、紙幣収納カセット２１に集積された紙幣の種類ＴＹ１，ＴＹ２ごとの枚数とに基づいて、紙幣収納カセット２１への紙幣の集積を許可する判断を行う。これにより、紙幣収納カセット２１における実際の紙幣の集積状態に基づいて、紙幣の搬送動作を適切に制御することが可能になり、紙幣収納カセット２１における紙幣の集積状態を適切な状態に保つことができる。しかも、装置の大型化や搬送制御の複雑化を招くことはない。
【００７７】
また、紙幣収納カセット２１に集積された紙幣の種類ＴＹ１，ＴＹ２ごとの枚数から、紙幣収納カセット２１における紙幣の集積状態を表す指標値として、その枚数の差が求められ、この差に基づいて、紙幣収納カセット２１への紙幣の集積を許可する判断が行われる。このため、紙幣収納カセット２１における実際の紙幣の集積状態に基づいた搬送制御を、的確に実行することができる。また、枚数の差を用いることによって、紙幣収納カセット２１における実際の紙幣の集積状態に基づいた搬送制御を、簡易に実行することができる。
【００７８】
また、取り込まれる紙幣は同じ表裏・向きに揃えられている場合がある。このような場合に、取り込んだ紙幣の紙幣収納カセット２１への集積が許可されないと、続けて取り込まれる紙幣の多くが、同様に紙幣収納カセット２１への集積を許可されないことになる。このため、多くの紙幣が例えば出金部１２に搬送されて返却されることになり、例えば返却の原因が分からないユーザが紙幣を再投入してまた返却される、というように、無駄な作業が発生する可能性がある。そこで、制御部３０は、取り込まれた紙幣の紙幣収納カセット２１への集積を許可しないとき、入金部１１の紙幣の取り込み動作を停止するようにしてもよい。またこのとき、制御部３０は、情報出力部３５を介して、入金部１１から取り込む紙幣の表裏または向きの変更を促す情報（ガイダンス）を、装置１の外部に出力するようにしてもよい。このガイダンスを受けたユーザは、紙幣の表裏または向きを変更して再度投入することができる。なお、このガイダンス出力は、入金部１１の紙幣の取り込み動作を停止せずに、行ってもかまわない。
【００７９】
また、制御部３０は、上述したような取り込み動作の停止やガイダンス出力を、取り込まれた紙幣の紙幣収納カセット２１への集積を許可しないときではなく、許可しない場合において、集積を許可するか否かの判断の履歴が所定条件を満たすとき、実行するようにしてもよい。この場合は、判断の履歴を例えば記憶部４０に保存しておけばよい。ここでの所定条件としては例えば、１つの金種について所定枚（例えば１０枚）連続して集積を許可しなかった場合、１つの金種について集積を許可しなかった積算枚数が所定値（例えば２０枚）に達した場合、当該装置１が取り扱うすべての金種について集積を許可しなかった場合、すべての金種について所定枚連続して集積を許可しなかった場合、すべての金種について集積を許可しなかった積算枚数が所定値に達した場合、などが考えられる。また、紙幣の取り込み動作の停止と、ガイダンス出力とについて、互いに異なる条件を用いて、実行タイミングを制御してもよい。
【００８０】
＜他の処理の例＞
（その１）
上の例では、紙幣収納カセット２１における紙幣の集積状態を表す指標値として、第１および第２の種類ＴＹ１，ＴＹ２の紙幣の枚数の差を用いたが、他の指標値を用いることも可能である。例えば、第１および第２の種類ＴＹ１，ＴＹ２の紙幣の枚数の比の値を用いてもよい。すなわち、第１および第２の種類ＴＹ１，ＴＹ２の枚数差が大きくなり、紙幣収納カセット２１における集積状態の不安定度合が増すにつれて、枚数比の値は１から離れていく。したがって、枚数比の値を指標値として用いることが可能である。
【００８１】
（その２）
上の例では、紙幣収納カセット２１における紙幣の集積状態について、紙幣の長手方向における紙面の傾きを抑制することを目的としたが、同様にして、短手方向における紙面の傾きを抑えることも可能である。この場合には、図２に示す４つの方向について、Ａ方向およびＤ方向の紙幣を第１の種類ＴＹ１とし、Ｂ方向およびＣ方向の紙幣を第２の種類ＴＹ２とすればよい。この場合、第１および第２の種類ＴＹ１，ＴＹ２は、短手方向において厚さの分布が異なっている。すなわち、第１の種類ＴＹ１に属する紙幣は、図２における上側が、点字１０１の存在によって厚くなっており、一方、第２の種類ＴＹ２に属する紙幣は、図２における下側が、点字１０１の存在によって厚くなっている。紙幣収納カセット２１に、第１および第２の種類ＴＹ１，ＴＹ２の紙幣を、その枚数差が大きくならないように集積することによって、積み重ねた紙幣の短手方向における傾きを抑えることができる。
【００８２】
（その３）
上の例では、紙幣を２種類に分けて管理するものとしたが、これに限られるものではない。例えば、図２に示す４つの方向について、それぞれを別個の種類として管理してもよい。すなわち、Ａ，Ｂ，Ｃ，Ｄ方向の紙幣をそれぞれ、第１〜第４の種類ＴＹ１，ＴＹ２，ＴＹ３，ＴＹ４として管理してもよい。
【００８３】
図７はこの場合に記憶部４０に記憶された紙幣の枚数データの例である。図７の例では、紙幣収納カセット２１に集積された紙幣の枚数を、カウント値として管理している。記憶部４０はカウント値として、第１の種類ＴＹ１の紙幣の枚数Ｎ１と、第２の種類ＴＹ２の紙幣の枚数Ｎ２と、第３の種類ＴＹ３の紙幣の枚数Ｎ３と、第４の種類ＴＹ４の紙幣の枚数Ｎ４とを記憶している。第１の種類ＴＹ１はＡ方向に対応し、第２の種類ＴＹ２はＢ方向に対応し、第３の種類ＴＹ３はＣ方向に対応し、第４の種類ＴＹ４はＤ方向に対応する。また、記憶部４０は、紙幣収納カセット２１に集積された紙幣について、集積された順番と、第１〜第４の種類ＴＹ１〜ＴＹ４のいずれに属するかを示す情報とを特定する集積情報を記憶する。ここでは、カウント値は、集積情報から求められるものとする。
【００８４】
この場合、紙幣の長手方向における紙幣の傾きを抑制するためには、例えば、（Ｎ１＋Ｎ３）と（Ｎ２＋Ｎ４）との差や比を、紙幣の集積状態を表す指標値として用いればよい。これにより、紙面左側が厚いＡ方向およびＣ方向の紙幣の合計枚数と、紙面右側が厚いＢ方向およびＤ方向の紙幣の合計枚数との差が、抑えられる。また、紙幣の短手方向における紙幣の傾きを抑制するためには、例えば、（Ｎ１＋Ｎ４）と（Ｎ２＋Ｎ３）との差や比を、紙幣の集積状態を表す指標値として用いればよい。これにより、紙面上側が厚いＡ方向およびＤ方向の紙幣の合計枚数と、紙面下側が厚いＢ方向およびＣ方向の紙幣の合計枚数との差が、抑えられる。
【００８５】
例えば、紙幣の長手方向と短手方向の両方について集積状態における紙幣の傾きを抑制する場合には、搬送された紙幣が第１の種類ＴＹ１であるときは、（（Ｎ１＋Ｎ３）−（Ｎ２＋Ｎ４））が閾値未満であり、かつ、（（Ｎ１＋Ｎ４）−（Ｎ２＋Ｎ３））が閾値未満であるとき（このときの２つの閾値は同じであっても異なっていてもよい）、紙幣収納カセット２１への集積を許可すると判断すればよい。また、搬送された紙幣が第２の種類ＴＹ２であるときは、（（Ｎ２＋Ｎ４）−（Ｎ１＋Ｎ３））が閾値未満であり、かつ、（（Ｎ２＋Ｎ３）−（Ｎ１＋Ｎ４））が閾値未満であるとき、紙幣収納カセット２１への集積を許可すると判断すればよい。
【００８６】
（その４）
上の例では、第１および第２の種類ＴＹ１，ＴＹ２の枚数の差が閾値以上であるとき、言い換えると、指標値が許容範囲を超えているとき、紙幣収納カセット２１への紙幣の集積を行わない（禁止する）ものとしたが、これに限られるものではない。例えば、指標値が許容範囲を超えているとき、当該紙幣収納カセット２１の集積に関する優先順位を下げるようにしてもよい。これにより例えば、他に優先順位の高い選択肢があるとき（例えば、指標値が許容範囲内である紙幣収納カセット２１が他にあるときなど）は、その選択肢を採用するようにし、他に優先順位の高い選択肢がないときは、元の紙幣収納カセット２１への集積を実行する、といった制御が可能になる。
【００８７】
（その５）
上の例では、識別した紙幣の金種に対応する紙幣収納カセット２１が１個であることを前提として説明を行った。ただし、識別された紙幣の金種に対応する紙幣収納カセット２１が複数ある場合でも、同様の処理が可能である。
【００８８】
例えば、制御部３０は、識別された紙幣の金種に対応する紙幣収納カセット２１が複数ある場合、これら複数の紙幣収納カセット２１の中から、集積状態を表す指標値に基づいて、集積を許可する紙幣収納カセット２１を選択する。例えば、複数の紙幣収納カセット２１の中から、第１および第２の種類ＴＹ１，ＴＹ２の枚数の差が閾値未満である紙幣収納カセット２１を選択する。そして、集積を許可する紙幣収納カセット２１が複数あるときは、制御部３０は例えば、紙幣を集積したときに、指標値が目的とする値に近づくようになる紙幣収納カセット２１を選択する。例えば上の例では、指標値の目的とする値は０、すなわち、目的とする状態はＮ１＝Ｎ２であるので、紙幣が第１種類ＴＹ１のときは、Ｎ１＜Ｎ２である紙幣収納カセット２１を選択し、紙幣が第２種類ＴＹ２のときは、Ｎ２＜Ｎ１である紙幣収納カセット２１を選択する。これにより、複数の紙幣収納カセット２１における紙幣の集積状態を、より望ましい状態に近づけることができる。
【００８９】
なお、集積を許可する紙幣収納カセット２１が複数ある場合における紙幣収納カセット２１の選択手法は、これに限られるものではない。例えば、予め定めた優先順位に基づいて、集積する紙幣収納カセット２１を決定してもよい。このときの優先順位は、例えば、紙幣収納カセット２１の設置位置、紙幣収納カセット２１が持つＩＤ等で定めてもよいし、ユーザが任意に設定してもよい。あるいは、現在の集積枚数が少ない紙幣収納カセット２１を優先して選択するようにしてもかまわない。
【００９０】
（その６）
上の例では、紙幣収納カセット２１に紙幣が集積されたことを条件として、集積された順番と、第１および第２の種類ＴＹ１，ＴＹ２のいずれに属するかを示す情報とを特定する集積情報を更新し、カウント値は、集積情報から求められるものとしたが、これに限られるものではない。例えば、図６のフローチャートにおいて、紙幣収納カセット２１への集積を許可すると判断した（Ｓ１８）ときや、紙幣収納カセット２１への集積を許可しないと判断した（Ｓ１９）ときに、カウント値を更新してもよい。これにより、紙幣が識別部１３を通過した直後にカウント値を更新できるので、その紙幣が紙幣収納カセット２１に集積されるまでに識別部１３に到着した次の紙幣について、更新されたカウント値を用いて、次の紙幣の指標値を評価することができる。また、紙幣の搬送中にエラーが発生して装置が停止した場合は、集積情報とカウント値が一致していないので、搬送中の紙幣をすべて取り除くとともに、集積情報から正しいカウント値を作成すればよい。
【００９１】
＜他の実施形態＞
上の実施形態では、紙幣処理装置１において、集積部の一例である紙幣収納カセット２１における紙幣の集積状態を望ましい状態に近づける制御について、説明した。ただし、上述した制御は、他の構成にも適用できる。
【００９２】
例えば、紙幣処理装置１において、一時保留部１４のようなテープ巻き取り式の収納モジュールについて、上述した制御を適用してもよい。テープ巻き取り式の収納モジュールでは、集積された紙幣に厚さの偏りがあると、巻き取り形状が円錐台状になってしまい、巻き取り紙幣が外れてしまう、という問題が生じる。テープ式の収納モジュールを集積部として、上述した制御を適用することによって、この問題を回避することができる。
【００９３】
また例えば、外部に開放したスタッカを備えた紙葉類処理装置に、上述した制御を適用してもよい。図８はこのような紙葉類処理装置の一例である紙幣結束装置５の外観図である。紙幣結束装置５は、例えば銀行のテラーカウンタに設置され、オペレータによって使用される。紙幣結束装置５は、バラ状態の紙幣を取り込み、所定の種類の紙幣を集積し、集積した紙幣を所定の結束枚数で結束して投出する。紙幣結束装置５は、紙幣が載置され、載置された紙幣を取り込む取込部５２と、結束対象の紙幣を集積する結束スタッカ５４と、結束対象でない紙幣を集積する非結束スタッカ５５と、リジェクト紙幣を集積するリジェクトスタッカ５６と、結束紙幣を投出する投出部６１と、タッチパネル６７とを備えている。また、図示は省略しているが、筐体６２内には、紙幣を識別する識別部と、取込部５２から取り込まれた紙幣を、識別部、結束スタッカ５４、非結束スタッカ５５、リジェクトスタッカ５６などに搬送する搬送部と、結束スタッカ５４に集積された紙幣を結束する結束部とが設けられている。
【００９４】
ここで、結束スタッカ５４に集積した紙幣に厚さの偏りがあると、結束部によって結束したとき、結束テープが外れやすくなる、という問題が生じる。例えば、厚さが一様でない紙幣が同じ向きばかりで集積された場合に、この問題が生じる。したがって、結束スタッカ５４を集積部として、上述した制御を適用することによって、結束テープが外れやすくなるという問題を回避することができる。
【００９５】
また、非結束スタッカ５５に集積した紙幣の束は、例えば、そのまま次工程の紙幣処理装置に入金されたり、あるいは、別の紙幣処理装置に装着する紙幣カセットへの装填用紙幣として用いられたりする。このため、非結束スタッカ５５に集積した紙幣に厚さの偏りがあると、入金動作や紙幣カセットからの繰出動作に支障をきたす可能性がある。あるいは、非結束スタッカ５５に集積した紙幣の束は、人手で結束する場合もあるが、厚さの偏りがあると、結束の際に不具合が生じる可能性もある。例えば、厚さが一様でない紙幣が同じ向きばかりで集積された場合に、これらの問題が生じる。したがって、非結束スタッカ５５を集積部として、上述した制御を適用することによって、これらの問題を回避することができる。
【００９６】
なお、ここに開示する紙葉類処理装置は、紙幣の処理を行う装置に限定されない。処理対象または集積対象としての紙葉類には、小切手、手形及び商品券等が含まれる。
【００９７】
また、ここに開示した技術が対象とする紙葉類は、図２に示した形状のものに限られるものではない。厚さが一様でなく、偏りを有している紙葉類であれば、上述した技術を適用することによって、本開示と同様の効果を得ることができる。
【符号の説明】
【００９８】
１  紙幣処理装置（紙葉類処理装置）
５  紙幣結束装置（紙葉類処理装置）
１１  入金部（取込部）
１２  出金部（排出部）
１３  識別部
１４  一時保留部（集積部）
１５  搬送部
２１  紙幣収納カセット（集積部）
２３  回収カセット（保管部）
２４  ローラー（繰出部）
３０  制御部
３５  情報出力部
４０  記憶部
５２  取込部
５４  結束スタッカ（集積部）
５５  非結束スタッカ（集積部）
１００  紙幣
【図１】
0006600517.tif 000002
【図２】
0006600517.tif 000003
【図３】
0006600517.tif 000004
【図４】
0006600517.tif 000005
【図５】
0006600517.tif 000006
【図６】
0006600517.tif 000007
【図７】
0006600517.tif 000008
【図８】
0006600517.tif 000009